(57)【要約】      （修正有）【課題】水槽と緩衝材の接触部とが接触する際の摩擦音を防止もしくは低減する。【解決手段】洗濯水を溜める水槽２と、水槽２内に回転可能に設けた洗濯兼脱水槽３と、洗濯兼脱水槽３を回転駆動するモータ５と、水槽２を防振ダンパ６にて揺動自在に弾性支持した洗濯機筐体１と、洗濯機筐体１に設けられ水槽２と洗濯機筐体１との衝突時の衝撃を緩和する緩衝材１２を備え、緩衝材１２は、衝撃を緩和する弾性部と、水槽２と接触する接触部とを有し、接触部は樹脂材料からなるので、接触部の摩擦力が低いことによって、摩擦音を防止もしくは低減することができる。【選択図】図１
2013236860.tif 000002
【特許請求の範囲】
【請求項１】
洗濯水を溜める水槽と、前記水槽内に回転可能に設けた洗濯兼脱水槽と、前記洗濯兼脱水槽を回転駆動するモータと、前記水槽を防振ダンパにて揺動自在に弾性支持した洗濯機筐体と、前記洗濯機筐体に設けられ前記水槽と前記洗濯機筐体との衝突時の衝撃を緩和する緩衝材を備え、前記緩衝材は、衝撃を緩和する弾性部と、前記水槽と接触する接触部とを有し、前記接触部は樹脂材料からなることを特徴とする洗濯機。
【請求項２】
前記接触部は、前記弾性部よりも厚みが薄い構成の請求項１記載の洗濯機。
【請求項３】
緩衝材は、水槽と緩衝材が接触する際の衝突音が小さくなるように水槽と緩衝材の前記接触部の樹脂材料を薄くした請求項２記載の洗濯機。
【発明の詳細な説明】
【技術分野】
【０００１】
本発明は回転ドラム内で洗濯、すすぎ、脱水などの各行程を逐次制御する洗濯機に関するものである。
【背景技術】
【０００２】
従来、この種の洗濯機は、水槽と洗濯機筐体が接触する際の衝突音が小さくなるように、洗濯機筐体に緩衝材としてスポンジを用いて水槽が衝突と衝突の衝撃と衝突音を防いでいる。
【０００３】
図１は、従来の縦型洗濯機の構成を示したものであり、図２は、図１に示す緩衝材１２の部品構成を示している。
【０００４】
緩衝材１２の弾性部１４には主にスポンジが用いられ、緩衝材１２と水槽２とが衝突する際に接触する表面の材料として、接触部１３にはフェルトを用いることで水槽と緩衝材の接触音を小さくし、振動を吸収する構造となっていた。また、このような構成以外にシート状の音響放射効率が低い材料を用いて騒音を低減するものが提案されている。（特許文献１参照）。
【先行技術文献】
【特許文献】
【０００５】
【特許文献１】特開平２−２９５５９２号公報
【発明の概要】
【発明が解決しようとする課題】
【０００６】
しかしながら、前記従来の構成では、水槽２と緩衝材１２が接触した際に、接触部１３の摩擦力によって水槽２と接触部１３とが摩擦することで大きな音がすることがあった。
【０００７】
本発明は、前記従来の課題を解決するもので、水槽２と接触部１３とが接触する際の摩擦音を防止もしくは低減する洗濯機を提供することを目的とする。
【課題を解決するための手段】
【０００８】
上記目的を達成するために、本発明の洗濯機は、洗濯水を溜める水槽と、前記水槽内に回転可能に設けた洗濯兼脱水槽と、前記洗濯兼脱水槽を回転駆動するモータと、前記水槽を防振ダンパにて揺動自在に弾性支持した洗濯機筐体と、前記洗濯機筐体に設けられ前記水槽と前記洗濯機筐体との衝突時の衝撃を緩和する緩衝材を備え、前記緩衝材は、衝撃を緩和する弾性部と、前記水槽と接触する接触部とを有し、前記接触部は樹脂材料からなることを特徴としたものである。
【０００９】
これによって水槽２と緩衝材１２とが接触する際の摩擦抵抗を抑え、摩擦音を防止もしくは低減することができる。
【発明の効果】
【００１０】
本発明によれば、水槽が緩衝材の接触部と接触する際、接触部の摩擦力が低いことによって、水槽と緩衝材の接触部とが接触する際の摩擦音を防止もしくは低減することができる。
【図面の簡単な説明】
【００１１】
【図１】従来例および本発明の実施の形態における洗濯機の縦断面図
【図２】従来例および本発明の実施の形態における洗濯機の緩衝材の断面図
【図３】本発明の他の実施の形態における洗濯機の緩衝材の断面図
【図４】ベルトを介して洗濯兼脱水槽を駆動する洗濯機の縦断面図
【発明を実施するための形態】
【００１２】
第１の発明は、洗濯水を溜める水槽と、前記水槽内に回転可能に設けた洗濯兼脱水槽と、前記洗濯兼脱水槽を回転駆動するモータと、前記水槽を防振ダンパにて揺動自在に弾性支持した洗濯機筐体と、前記洗濯機筐体に設けられ前記水槽と前記洗濯機筐体との衝突時の衝撃を緩和する緩衝材を備え、前記緩衝材は、衝撃を緩和する弾性部と、前記水槽と接触する接触部とを有し、前記接触部は樹脂材料からなることを特徴とすることで、水槽と緩衝材の接触部とが接触する際の摩擦音を防止もしくは低減することができる。
【００１３】
第２の発明は、特に、第１の発明の接触部を、前記弾性部よりも厚みが薄い構成としたので、弾性部の衝撃緩和作用が大きくでき、さらに水槽と緩衝材の接触部とが接触する際の摩擦音を防止もしくは低減することができる。
【００１４】
第３の発明は、特に、第２の発明の緩衝材は、水槽と緩衝材が接触する際の衝突音が小さくなるように水槽と緩衝材の前記接触部の樹脂材料を薄くしたので、弾性が高い素材や剛性が高い材料を用いても厚さを薄くすることで弾性を持たせることで、接触の際に生じる衝撃音を防止もしくは低減することができる。
【００１５】
以下、本発明の実施の形態について、図面を参照しながら説明する。なお、従来例と同じ構成のものは同一符号を付して説明を省略する。この実施の形態によって本発明が限定されるものではない。
【００１６】
（実施の形態１）
本発明の実施の形態における洗濯機の縦断面図、および本発明の実施の形態における洗濯機の緩衝材の断面図については、それぞれ従来例と同様なので図１および図２を用いて説明する。
【００１７】
図２において、緩衝材１２は主にスポンジからなる弾性部１４と、弾性部１４の一側面には洗濯機筐体１の内部に接着するための接着部１５、弾性部１４の他の側面には水槽２が回転時に振動する際に接触する接触部１３がそれぞれ設けられている。
【００１８】
接触部１３は表面が滑らかな樹脂材料からできており、樹脂材料はフェルトなどに比べて一般的に摩擦力は低いが、摩擦係数が低い素材ほど好ましい。接触部１３は、水槽２との接触によって簡単に剥がれないように弾性部１４と接着されている。
【００１９】
接触部１３とスポンジからなる弾性部１４を接着する接着剤は、洗濯機の使用寿命の回数以上に水槽と接触させても接触部１３が弾性部１４から剥がれ落ちないように、接触部１３と弾性部１４と接着剤との組み合わせを選ぶ必要がある。
【００２０】
図３は、緩衝材１２の他の構成を示している。接触部１３は、樹脂材料を薄くしたもので、接触部１３は、内槽との接触により変形可能で元の状態に戻る程度に弾性力を有する厚みとなっている。
【００２１】
接触部１３の樹脂材料に、高弾性もしくは高剛性の材料を用い、接触部１３の厚みを薄くし弾性を持たせることで、水槽２との接触の際にいっそう衝撃音が発生しにくくなる。
【００２２】
図１において洗濯機筐体１は、４本の防振ダンパ６により水槽２を弾性支持している。洗濯兼脱水槽３と攪拌手段４は、水槽２内に回転自在に配設している。モータ（駆動手段）５により、洗濯兼脱水槽３と攪拌手段４を駆動している。モータ（駆動手段）５が洗濯兼脱水槽３を駆動する他の構成として、図４に示すようにベルト１６を介して洗濯兼脱水槽３を駆動するものもある。
【００２３】
給水手段９は水槽２内に洗濯水を給水し、給水された水槽２内の水位を水位検知手段１１にて検知する。排水手段１０は水槽２内の洗濯水を排水するものである。
【００２４】
制御装置７は洗濯機筐体１の背面後部に設けられ、洗濯機筐体１の前面上部に設けられた操作表示手段８により入力された設定内容に基づいて、洗い、すすぎ、脱水、乾燥の各行程を逐次制御するもので、モータ５、給水手段９、排水手段１０などを駆動する。制御装置７の位置については操作表示手段８と同様に、洗濯機筐体１の前面上部に設ける場合もある。
【００２５】
以上のように構成された洗濯機について以下その動作、作用を説明する。
【００２６】
洗濯兼脱水槽３内に衣類と洗剤を投入後、操作表示手段８を操作して運転を開始する。運転が開始されると、給水手段９が動作し、水槽２内に洗濯水が供給されると共に洗濯兼脱水槽３が回転を開始する。
【００２７】
規定量の洗濯水が供給されたことを水位検知手段１１によって検知すると給水が停止する。洗濯兼脱水槽３の回転によって、洗剤は洗濯水に溶かされ、洗濯液となって衣類に浸透する。洗濯兼脱水槽３と攪拌手段４によって衣類を攪拌させ衣類を互いにこすりつけるこすり洗いを規定時間行う。
【００２８】
洗濯終了後、排水手段１０が動作し、汚れを溶かし込んだ洗濯水は、水槽２の外に排水される。排水終了後、洗濯兼脱水槽３を高速で回転する脱水工程に入る。洗濯物の偏り状態や、洗濯工程における衣類を攪拌する力、脱水工程における脱水回転の回転数などの影響を受け、洗濯行程中や脱水行程中に水槽２が大きく前後左右に揺れることがある。
【００２９】
緩衝材１２を設置しているので、水槽２の揺れが大きくても、洗濯機筐体１に水槽２が直接接触することはなく衝突は回避される。このとき、水槽２は緩衝材１２と接触することになるが、その際に発生する衝突音や摩擦音は、樹脂材料からなる接触部１３によって大きく緩和され、衝突音や摩擦音を防止または低減することができるようになる。
【００３０】
なお、本実施の形態においては、洗濯機筐体１に緩衝材１２を接着により設け、水槽２と緩衝材１２とが接触するように構成したが、これに限らず、水槽２に緩衝材１２を接着により設け、洗濯機筐体１と緩衝材１２とが接触するように構成しても同様の効果を得ることができる。
【産業上の利用可能性】
【００３１】
以上のように、本発明にかかる洗濯機は洗濯機筐体１と水槽２の直接の接触を防ぐための緩衝材１２の接触部１３の素材を摩擦の低い樹脂材料にすることで、摩擦音を低減できるので、洗濯機以外の回転機器の摩擦にも応用可能である。
【符号の説明】
【００３２】
１  洗濯機筐体
２  水槽
３  洗濯兼脱水槽
５  モータ
６  防振ダンパ
１２  緩衝材
１３  接触部
１４  弾性部
【図１】
2013236860.tif 000003
【図２】
2013236860.tif 000004
【図３】
2013236860.tif 000005
【図４】
2013236860.tif 000006